(57)【要約】【課題】不正な再使用を確実に防止する。【解決手段】レンズ付きフイルムユニット１０は、露光ユニット２７を備える。露光ユニット２７は、レンズホルダ４３と絞り板５１とを備える。レンズホルダ４３には、固定開口４６が形成されている。絞り板５１は、固定開口４６より小さい絞り開口５１ａが設けられた丸板部５１ｂ、切欠き５１ｃ、先端部５１ｄ、連結部５１ｅが形成される。絞り板５１は、絞り開口５１ａが固定開口４６と同一の撮影光軸上に配置されるように、レンズホルダ４３に設けられたストッパ５５により位置決めされる。切欠き５１ｂは、土台４３ｃ面上に設けられた切断ピン５６に挿入される。連結部５１ｅには、連結孔５１ｆが設けられており、この連結孔５１ｆは、パトローネ蓋３２ａの突起３２ｃに取り付けられる。【選択図】　　　　図４
2004126469.tif 000002
【特許請求の範囲】
【請求項１】
製造時に予めフイルム及びパトローネが内蔵され、撮影を行うごとに露光済みのフイルムをパトローネに巻き込んでゆくとともに使用後にはパトローネ蓋を開放してパトローネを取り出すようにしたレンズ付きフイルムユニットにおいて、
撮影レンズからの撮影光をフイルムへと通過させる固定の第１開口と、第２開口が形成され、この第２開口が撮影光軸上で前記第１開口と重なるように位置決めされた開口板と、前記パトローネ蓋の開放に連動して前記第１開口を少なくとも部分的に遮蔽するように前記開口板を移動させる移動手段とを備えたことを特徴とするレンズ付きフイルムユニット。
【請求項２】
前記第２開口が第１開口よりも小径に形成され、フイルムに達する撮影光の光量を制限する絞り開口であることを特徴とする請求項１記載のレンズ付きフイルムユニット。
【請求項３】
前記第１開口が第２開口よりも小径に形成され、フイルムに達する撮影光の光量を制限する絞り開口であることを特徴とする請求項１記載のレンズ付きフイルムユニット。
【請求項４】
前記開口板がシート材で構成され、パトローネ蓋の開放に連動して移動した後に破断されることを特徴とする請求項１ないし３いずれか１つ記載のレンズ付きフイルムユニット。
【発明の詳細な説明】
【０００１】
【発明の属する技術分野】
本発明はレンズ付きフイルムユニットに関し、詳しくは不正なフイルムの詰め替えを防ぐようにしたレンズ付きフイルムユニットに関するものである。
【０００２】
【従来の技術】
【特許文献１】
特開平７−１２０８８３号公報
【０００３】
製造時に予めフイルムが装填されたレンズ付きフイルムユニットは、すぐに写真撮影ができ、その操作も簡単であることから一般に広く利用されている。このレンズ付きフイルムユニットは、写真フイルムカートリッジを装填したユニット本体と、このユニット本体の全部又は一部を覆って、装飾効果を出している外装体とからなる。ユニット本体は、写真フイルムが装填される本体基部とこれを前後から覆う前・後カバーとから構成され、本体基部には撮影レンズ、簡単なシャッタ機構、フイルム巻き上げ機構等が組み込まれている。使用済みのレンズ付きフイルムユニットは、製造メーカーによって回収され、構成部品ごとにリユース、あるいはリサイクルされている。
【０００４】
現在販売されているレンズ付きフイルムユニットの中には、使用済みのレンズ付きフイルムユニットに市販の写真フイルムを再装填して販売されているものがある。写真フイルムの不正な詰め替えを防ぐために、レンズ付きフイルムユニットの基本的な構成部品を超音波溶着などにより固着し、フイルム詰め替えのためにユニット本体を簡単に分割することができないようにしている。特に、後カバーが取り外されてしまうと、本体基部に形成されたフイルムロール室、アパーチャ、パトローネ室が完全に露呈し、暗室があれば簡単にフイルムの装填を行うことができるようになるため、後カバーは本体基部に強固に固着するようにしている。そして、無理に後カバーを分離したときには、その一部が破断したり、あるいは後カバーと係合している別の機能部品が破損するように工夫されている（例えば、特許文献１）。
【０００５】
【発明が解決しようとする課題】
しかしながら、特許文献１のようなレンズ付きフイルムユニットについても、後カバーを本体基部から分離し、破断した後カバーの一部を遮光シールなどで遮光するなどしてフイルムの詰め替えが行われる。このような詰め替え製品は、適正な検査や修理が行われずに販売されるため、信頼性に乏しいという問題がある。また、詰め替え製品に発生する問題は、レンズ付きフイルムユニットそのものに対する信頼性を傷つける恐れがある。
【０００６】
本発明はこのような背景を考慮してなされたもので、不正に写真フイルムの詰め替えを行うと撮影を行うことができなくなり、不正再使用を確実に防止することができるレンズ付きフイルムユニットを提供することを目的とする。
【０００７】
【課題を解決するための手段】
上記目的を達成するために、本発明のレンズ付きフイルムユニットは、製造時に予めフイルム及びパトローネが内蔵され、撮影を行うごとに露光済みのフイルムをパトローネに巻き込んでゆくとともに使用後にはパトローネ蓋を開放してパトローネを取り出すようにしたレンズ付きフイルムユニットにおいて、撮影レンズからの撮影光をフイルムへと通過させる固定の第１開口と、第２開口が形成され、この第２開口が撮影光軸上で前記第１開口と重なるように位置決めされた開口板と、前記パトローネ蓋の開放に連動して前記第１開口を少なくとも部分的に遮蔽するように前記開口板を移動させる移動手段とを備えたことを特徴とする。なお、前記第２開口が第１開口よりも小径に形成され、フイルムに達する撮影光の光量を制限する絞り開口であるか、あるいは、前記第１開口が第２開口よりも小径に形成され、フイルムに達する撮影光の光量を制限する絞り開口であることが好ましい。また、前記開口板がシート材で構成され、パトローネ蓋の開放に連動して移動した後に破断されることが好ましい。
【０００８】
【発明の実施の形態】
図１に示すように、レンズ付きフイルムユニット１０は、ユニット本体１１と、このユニット本体１１の表面を覆う外装ラベル１２から構成されている。ユニット本体１１の前面には撮影レンズ１３，ファインダレンズ１４，ストロボ発光部１５，ストロボノブ１６が、ユニット本体１１の上部にはレリーズボタン１９，フイルムカウンタ板２０，ストロボ充電確認窓２１が配設されている。また背部には巻上げノブ２２の一部が背面外部に露呈している。
【０００９】
図２に示すように、ユニット本体１１は、本体基部２６、露光ユニット２７、ストロボユニット２８、パトローネ２９、写真フイルム３０と、これらを覆う前カバー３１、後カバー３２から構成されている。本体基部２６は、写真フイルム３０の露光範囲を決定する露光枠（図示せず）と、パトローネ２９を収納するパトローネ収納室３３と、このパトローネ収納室３３から引き出され、ロール状に巻かれた写真フイルム３０を収納する写真フイルム収納室３４とで構成される。また、パトローネ収納室３３の上部には巻上げノブ２２が取り付けられ、巻上げノブ２２を回転させることにより写真フイルム３０が給送される。
【００１０】
前カバー３１は、本体基部２６の前面に設けられており、撮影レンズ１３、ファインダレンズ１４などを外部に露呈する開口が形成されている。後カバー３２は本体基部２６の背後に設けられ、前カバー３１とともにユニット本体１１の内部を光密に覆っている。後カバー３２には底蓋としてパトローネ蓋３２ａ，フイルム蓋３２ｂが一体に形成され、パトローネ２９及び写真フイルム３０の底部を光密に覆っている。
【００１１】
ストロボユニット２８は、露光ユニット２７の側方に配置されており、ストロボ回路が形成されたプリント基板３６と、そのプリント基板３６に取り付けられたストロボ発光部１５、コンデンサ３７、電池３８、シンクロスイッチ３９から構成されている。ストロボ回路は、ストロボ発光部１５を発光させるのに必要な電荷をコンデンサ３７へ充電させるための回路である。
【００１２】
ストロボノブ１６は、充電スイッチ４０のオン・オフを切り換えるために上下にスライド自在に設けられている。ストロボノブ１６が押し上げられると、プリント基板３６に設けられた充電スイッチ４０がオンし、コンデンサ３７への充電が行われる。コンデンサ３７の充電が完了すると、プリント基板３６上に設けられたＬＥＤ　（図示せず）　の点滅がストロボ充電確認窓２１から確認できる。シャッタレリーズ操作により、シンクロスイッチ３９がオンすると、ストロボ発光部１５からストロボ光が照射される。また、ストロボノブ１６の側面には規制突起１６ａが一体に設けられており、この規制突起１６ａによりストロボスイッチのオン／オフが行われる。
【００１３】
露光ユニット２７は、本体基部２６のほぼ中央に形成される。この露光ユニット２７は、シャッタ機構，フイルム巻き止め機構，残り撮影可能コマ数を表示するためのカウンタ機構，ファインダ等をユニット化したものであり、暗箱４１に組み付けられている。図３に示すように、暗箱４１の前面中央には露光開口４１ａが設けられている。また、暗箱４１の前面には、シャッタ羽根４２、レンズホルダ４３の順で取り付けられる。
【００１４】
シャッタ羽根４２は、１枚のセクタ羽根で構成されており、暗箱４１に形成されたピン４４に回動自在となるように取り付けられる。シャッタ羽根４２は、バネ４５の付勢によって羽根部４２ａが露光開口４１ａを塞ぐ閉じ位置に保持される。撮影時には、レリーズボタン１９の押圧に連動して動作するシャッタレバー（図示せず）　により取付部４２ｂの先端が蹴飛ばされ、露光開口４１ａを開放する開き位置（図中時計方向）に回動する。その後、バネ４５の付勢によってシャッタ羽根４２は閉じ位置に戻り、このシャッタ羽根４２の回動の間に露光開口４１ａが開かれて露光が行われる。また、シャッタ羽根４２には、押圧片４２ｃが形成されており、シャッタ羽根４２が露光開口４１ａを全開する全開位置に来たときに、この押圧片４２ｃがシンクロスイッチ３９をオンする。
【００１５】
レンズホルダ４３には、その鏡胴４３ａの内部に撮影レンズ１３が保持され、その後方には固定開口４６が形成されている。撮影レンズ１３は、第１レンズ４７、第２レンズ４８の２枚のレンズから構成され、その間には絞り板５１が配置される。また、鏡胴４３ａの前面には、レンズカバー５２が取り付けられている。レンズカバー５２は、第１レンズ４７の外周部を押さえつけており、撮影レンズ１３はレンズホルダ４３とレンズカバー５２との間に挟み込まれて保持される。
【００１６】
図３及び図４に示すように、絞り板５１は、極めて薄い板状に形成されており、レンズホルダ４３に形成された連結ピン４３ｂを基点に９０°ひねられた状態で、土台４３ｃ面上に取り付けられている。絞り板５１は、固定開口４６より小さい絞り開口５１ａが設けられた丸板部５１ｂ、切欠き５１ｃ、先端部５１ｄ、連結部５１ｅが形成され、絞り開口５１ａが固定開口４６と同一の撮影光軸上に配置されるように、レンズホルダ４３に設けられたストッパ５５により位置決めされている。
【００１７】
上下に２個設けられた切欠き５１ｃは、土台４３ｃ面上に設けられた２個の切断ピン５６に挿入されている。連結部５１ｅには、連結孔５１ｆが設けられており、図２に示すように、パトローネ蓋３２ａと絞り板５１とは、突起３２ｃが連結孔５１ｆに挿入された状態で取り付けられている。パトローネ蓋３２ａの開放に応じて、突起３２ｃは連結孔５１ｆを引っ張り、絞り板５１を移動させる。
【００１８】
次に、本実施形態の作用の説明をする。撮影者は、巻上げノブ２２を回動させ、写真フイルム３０を巻き上げる。巻上げノブ２２を回動させ続け、写真フイルム３０を１コマ分巻き上げると、シャッタレバーをチャージ位置に移動させるとともに、フイルム巻き止め機構によって巻上げノブ２２がロックされる。
【００１９】
撮影者は、ストロボノブ１６を上下させてストロボ発光部１５を発光させるか否かを選択する。ストロボ発光部１５を発光させない場合、ストロボノブ１６をオフ位置である下側にセットする。すると、規制突起１６ａがストロボスイッチをオフする。また、ストロボ発光部１５を発光させる場合、ストロボノブ１６をオン位置である上側にセットする。すると、規制突起１６ａがストロボスイッチをオンする。
【００２０】
撮影者は、被写体のフレーミングを行い、レリーズボタン１９を押下すると、シャッタレバーはチャージ位置からレリーズ位置へと移動する。この移動の間にシャッタ羽根４２が蹴飛ばされて、露光開口４１ａが開放されることにより、写真フイルム３０への露光が行われる。また、その後は、露光開口４１ａは蔽遮される。
【００２１】
使用済みのレンズ付きフイルムユニット１０は、現像所に提出される。現像所では、撮影済みの写真フイルム３０を巻き取ったパトローネ２９を取り出して、現像処理を行う。空のレンズ付きフイルムユニット１０は、工場に回収されてリサイクルされる。
【００２２】
撮影済みの写真フイルム３０が収納されたパトローネ２９を、レンズ付きフイルムユニット１０から取り出すには、図５に示すように、パトローネ蓋３２ａを開放する。パトローネ蓋３２ａが開放されると、絞り板５１は連結ピン４３ｂを基点に、左方向Ａ及び下方向Ｂに移動される。上述したように、絞り板５１は極めて薄い板形状であり、左方向Ａに移動されると、先端部５１ｄがストッパ５５に接触し、丸板部５１ｂにしわが寄るとともに、切断ピン５６により切欠き５１ｃの位置で切断される。パトローネ蓋３２ａが全開放すると、パトローネ２９を取り出すことができ、このパトローネ蓋３２ａ全開放時には、切断された絞り板５１が、固定開口４６を塞ぐ位置に配置される。
【００２３】
このように、撮影済みの写真フイルム３０が収納されたパトローネ２９を取り出す際には、絞り板５１は切断され、固定開口４６を塞ぐから、不正なフイルム詰め替えを行ったとしても、撮影を行うことができない。また、切断された絞り板５１を再使用しようとしても、しわが寄っているため、位置決めすることができず、撮影を行ったとしても、画像不良となる。
【００２４】
なお、上記実施形態では、固定開口より小さい絞り開口を絞り板に設け、この絞り開口により露光を行う構成にしたが、絞り板に固定開口より大きい開口を設け、固定開口により露光を行う構成にしてもよい。
【００２５】
また、上記実施形態では、絞り板が移動されると、切断ピンにより絞り板を切断する構成にしたが、固定ピンにより絞り板を位置決めし、絞り板が移動されると、固定ピンから絞り板が外れる構成にしてもよい。パトローネ蓋の開放により絞り板が移動されると、固定ピンから外れて固定開口を塞ぐ。これにより、不正なフイルム詰め替えを行ったとしても、撮影を行うことができない。
【００２６】
さらに、上記実施形態では、撮影レンズを、第１レンズ，第２レンズの２枚のレンズから構成したが、レンズの個数は適宜変更してもよい。
【００２７】
図６及び図７に他の実施形態を示す。上記実施形態のものと同様の構成部材には同一の符号を付し、その詳細な説明を省略する。この実施形態では、絞り板６１は、切欠き６１ａと袋状の先端部６１ｂとが形成され、先端部６１ｂ内部にはインク６２が収納され、シール６３によりインク６２が密閉されている。図７に示すように、パトローネ蓋３２ａを開放すると、絞り板６１は連結ピン４３ｂを基点に、左方向Ａ及び下方向Ｂに移動される。絞り板６１は、左方向Ａに移動されると、先端部６１ｂがストッパ５５に接触し、切欠き６１ａの位置で切断される。切欠き６１ａの位置で切断されると、内部に収納されていたインク６２が吐出され、第１レンズ４７、第２レンズ４８の２枚のレンズにインク６２が付着する。この実施形態によれば、撮影済みの写真フイルム３０が収納されたパトローネ２９を取り出す際には、インク６２が第１レンズ４７、第２レンズ４８に付着するから、不正なフイルム詰め替えを行ったとしても、撮影を行うことができない。
【００２８】
【発明の効果】
以上説明したように、本発明のレンズ付きフイルムユニットによれば、撮影レンズからの撮影光をフイルムへと通過させる固定の第１開口と、第２開口が形成され、この第２開口が撮影光軸上で前記第１開口と重なるように位置決めされた開口板と、パトローネ蓋の開放に連動して第１開口を少なくとも部分的に遮蔽するように開口板を移動させる移動手段とを備えたから、不正にフイルムの詰め替えを行っても、撮影を行うことができなくなり、不正な再利用を防ぐことができる。また、第２開口が第１開口よりも小径に形成され、フイルムに達する撮影光の光量を制限する絞り開口であるか、あるいは、第１開口が第２開口よりも小径に形成され、フイルムに達する撮影光の光量を制限する絞り開口であるから、容易に不正な再利用を防ぐことができる。さらに、開口板がシート材で構成され、パトローネ蓋の開放に連動して移動した後に破断されるから、より一層確実に不正な再利用を防ぐことができる。
【図面の簡単な説明】
【図１】本発明を実施したレンズ付きフイルムユニットの外観斜視図である。
【図２】レンズ付きフイルムユニットの分解斜視図である。
【図３】レンズ付きフイルムユニットの要部斜視図である。
【図４】パトローネ蓋開放前の絞り板を示す図である。
【図５】パトローネ蓋開放後の絞り板を示す図である。
【図６】本発明の他の実施形態のパトローネ蓋開放前の絞り板を示す図である。
【図７】本発明の他の実施形態のパトローネ蓋開放後の絞り板を示す図である。
【符号の説明】
１０　レンズ付きフイルムユニット
１３　撮影レンズ
２７　露光ユニット
２９　パトローネ
３０　写真フイルム
３２　後カバー
３２ａ　パトローネ蓋
３２ｂ　フイルム蓋
３２ｃ　突起
４３　レンズホルダ
４３ａ　鏡胴
４３ｂ　連結ピン
４３ｃ　土台
４６　固定開口
５１　絞り板
５１ａ　絞り開口
５１ｂ　丸板部
５１ｃ　切欠き
５１ｄ　先端部
５１ｅ　連結部
５１ｆ　連結孔
５５　ストッパ
５６　切断ピン
【図１】
2004126469.tif 000003
【図２】
2004126469.tif 000004
【図３】
2004126469.tif 000005
【図４】
2004126469.tif 000006
【図５】
2004126469.tif 000007
【図６】
2004126469.tif 000008
【図７】
2004126469.tif 000009